【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
正面側に遊技領域を有する遊技盤と、その遊技盤の正面側に配設させるための第１部材と、その第１部材の正面側に所定の間隔を隔てて配設され、前記第１部材との対向間に遊技球を流下可能にする第２部材と、を備える遊技機において、
前記第１部材または第２部材の少なくとも一方に配設される所定部と前記第１部材または第２部材の他方との対向する間隔を変更する変更手段を備え、
前記変更手段によって、第１状態と、その第１状態とは前記第１部材および第２部材の対向間を流下する遊技球の流下方向が異なる第２状態とを形成可能であり、
前記所定部は、前記遊技盤の正面視において上面側が前記遊技盤の幅方向に対して傾斜され、
前記変更手段は、前記間隔が第１の間隔に維持された状態と第２の間隔に維持された状態とを構成可能であることを特徴とする遊技機。
【手続補正２】
【補正対象書類名】明細書
【補正対象項目名】０００２
【補正方法】変更
【補正の内容】
【０００２】
パチンコ機等の遊技機において、流下する遊技球の流下方向を変更する遊技機が知られている（特許文献１）。
【手続補正３】
【補正対象書類名】明細書
【補正対象項目名】０００４
【補正方法】変更
【補正の内容】
【０００４】
しかしながら、上述した遊技機では、流下方向の変更に改善の余地があった。
【手続補正４】
【補正対象書類名】明細書
【補正対象項目名】０００５
【補正方法】変更
【補正の内容】
【０００５】
本発明は、上記例示した問題点を解決するためになされたものであり、流下方向の変更を改善できる遊技機を提供することを目的とする。
【手続補正５】
【補正対象書類名】明細書
【補正対象項目名】０００６
【補正方法】変更
【補正の内容】
【０００６】
この目的を達成するために請求項１記載の遊技機は、正面側に遊技領域を有する遊技盤と、その遊技盤の正面側に配設させるための第１部材と、その第１部材の正面側に所定の間隔を隔てて配設され、前記第１部材との対向間に遊技球を流下可能にする第２部材と、を備えるものであり、前記第１部材または第２部材の少なくとも一方に配設される所定部と前記第１部材または第２部材の他方との対向する間隔を変更する変更手段を備え、前記変更手段によって、第１状態と、その第１状態とは前記第１部材および第２部材の対向間を流下する遊技球の流下方向が異なる第２状態とを形成可能であり、前記所定部は、前記遊技盤の正面視において上面側が前記遊技盤の幅方向に対して傾斜され、前記変更手段は、前記間隔が第１の間隔に維持された状態と第２の間隔に維持された状態とを構成可能である。
【手続補正６】
【補正対象書類名】明細書
【補正対象項目名】０００９
【補正方法】変更
【補正の内容】
【０００９】
請求項１記載の遊技機によれば、流下方向の変更を改善できる。
【手続補正７】
【補正対象書類名】明細書
【補正対象項目名】２１０５
【補正方法】変更
【補正の内容】
【２１０５】
遊技機Ａ１からＡ１４，Ｂ１からＢ８，Ｃ１からＣ１４、Ｄ１からＤ８、Ｅ１からＥ１２、Ｆ１からＦ１０、Ｇ１からＧ８、Ｈ１からＨ８、Ｉ１からＩ１０、Ｊ１からＪ９、Ｋ１からＫ１２、Ｌ１からＬ１０、Ｍ１からＭ１０、Ｎ１からＮ９、Ｏ１からＯ８及びＰ１からＰ１０のいずれかにおいて、前記遊技機はパチンコ遊技機とスロットマシンとを融合させたものであることを特徴とする遊技機Ｑ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機において、前面に装飾が施される装飾部材と、その装飾部材の背面を変位可能な状態で配設されると共に、遊技球を受け入れて保持できる受入部と、を備え、受入部の移動に伴って遊技球を移動させる演出を行う遊技機が知られている（特開２０１０−１６６９９７号公報）。
しかしながら、上述した遊技機では、受入部に受け入れられた（保持された）遊技球の位置が分からなくなるという問題点があった。
本技術的思想は、上記例示した問題点を解決するためになされたものであり、受入部に受け入れられた（保持された）遊技球の位置を遊技者に認識させることができる遊技機を提供することを目的とする。
＜手段＞
この目的を達成するために技術的思想１の遊技機は、正面視において少なくとも一部が背面側の光を透過可能な光透過性材料から形成される装飾部材と、その装飾部材の背面側に正面と平行な平面上を変位可能な状態で配設され、遊技球を受け入れて保持可能な受入部と、を備えるものであり、前記装飾部材の背面側に配設され、前記受入部の変位領域に向けて光を出射可能な発光手段を備え、前記発光手段は、前記受入部の背面側、又は、前記装飾部材と前記受入部との間に配設され、前記受入部または受入部に受け入れられた遊技球により、前記発光手段から出射される光を遮断または反射して、前記装飾部材から出射される光の光量を部分的に異ならせる。
技術的思想２の遊技機は、技術的思想１記載の遊技機において、前記受入部は、その受入部に保持される遊技球の中心よりも重力方向下側に形成され、前記発光手段は、前記受入部に保持される遊技球の中心と略同一の高さに光の出射部分が配置され、前記装飾部材の光透過部分が、前記発光手段の光の出射部分よりも高い位置に形成される。
技術的思想３の遊技機は、技術的思想１又は２に記載の遊技機において、前記受入部は、光透過性材料から形成される。
＜効果＞
技術的思想１記載の遊技機によれば、受入部に受け入れられた（保持された）遊技球の位置を遊技者に認識させることができる。
技術的思想２記載の遊技機によれば、技術的思想１記載の遊技機の奏する効果に加え、遊技球により透過部の正面側に光の明暗を形成しやすくできる。
技術的思想３記載の遊技機によれば、技術的思想１又は２に記載の遊技機の奏する効果に加え、受入部に遊技球が保持された場合にのみ遊技者に注視させることができる。
＜符号＞
１０ パチンコ機
１１ 外枠
１３，２５０１３，２６０１３，２７０１３，２８０１３，２９０１３，３００１３，３１０１３ 遊技盤
６０，３４０６０，４２０６０ ベース板（遊技盤）
６０ａ 第１開口部（第２開口部）
６０ｂ 第２開口部
６０ｃ 装飾部材（第１装飾手段）
３４０６０ｄ 凹部（第１開口部）
３５０６０ｅ 摺動孔（第１開口部）
６３ 一般入賞口（流入口）
８６ センターフレーム（枠状部材）
８６ｂ 突設部（第３部材）
８６ｂ１ 開口部
８６ｂ３ 検出装置（検出手段）
８６ｂ５ 立設部（折返片）
１００，４２１００ 基板ボックス
１５０ 一般入賞口ユニット（板部材）
１５１ 本体部（正面部材）
１５４，１０１５４，２５１５４ 装飾部材（第２装飾手段）
１５１ａ，２６１５１ａ，２７１５１ａ，２８１５１ａ，３１１５１ａ 傾斜面（傾斜部）
１５１ｂ，２８１５１ｂ，２９１５１ｂ，３０１５１ｂ 凹部（凹部）
１５１ｂ２ 凹設底面
１５５ 突起
３００，１５３００，１５３００，１６３００，１７３００ 背面ケース（背面部材）
３０１ｃ 第１開口部
３０１ｄ 第２開口部
３１０，１４３１０，１５３１０，１６３１０，１８３１０，１９３１０，２０３１０，２２３１０，２３３１０，２４３１０ 係合部材（変位部材）
３１１，１４３１１，１５３１１，１６３１１，１８３１１，２２３１１，２４３１１ 弾性片（第１片）
３１５，１４３１５，１５３１５ 操作子
３１５ａ，１４３１５ａ 傾斜面（抑制手段）
２４３１６ 係合部（第１突部）
３２０，１８３２０，２０３２０，２２３２０，２３３２０，２４３２０ 固定部材
３２２，１８３２２，２２３３２，２３３３２，２４３３２ 被係合部（係合部）
２４３３５ 収容部
２４３３５ａ 段部（第２突部）
１９３６０，２４３６０ 操作子
４１０ ベース部材
４１１ｅ 湾曲壁部（規制手段、壁部）
４１１ｆ 回収口（回収部材）
４２２ カム部材（支持構造の一部、変位部材）
４３０ リンク部材（支持構造の一部、従動部材）
４４４１ｇ 係合壁（挿入部材）
１１４５０ 装飾部材
１１４５１ａ 透過部
４６０ 伝達機構
２４６４ 可動ラック（逆部材）
４６５ 伝達ギヤ（ピニオンギヤ）
４６６ ラック（ラック部材）
１１４６６ｅ 遮蔽板（連結部材）
４６７，１２４６７ 球受部（変位部材、受入部）
１２４６７ｃ 第１片（本体部）
１２４６７ｄ 第２片（変位部）
１２４６７ｅ 第３片（遮蔽部）
１１４９１ 制御基板（基板部材）
１１４９１ａ 発光体（発光部）
３４６８ 第１リンク部材（逆部材）
４７０ ベース部材（基部材）
４７１ａ 立設壁（壁部）
４８１ｂ１ 凹部
４９１ 制御基板（発光手段）
４９２ 変位部材（規制手段）
５２０ ベース板（第２ベース部材）
５２５ 転動部（通路部材）
５２５ｂ 突起（抵抗手段）
５４０ 振分け部材（規制手段、振分手段、一体部材）
５４０ａ 脚部（突部）
５４１ 規制板（第１出没部、振分手段）
５４２ 貯留板（第２出没部、流下状態変更手段）
５５０，１３５５０，３２５５０，３４５５０，３５５５０，３６５５０，３７５５０ 特別入賞装置（経路ユニット）
５５１ 第１ユニット（第１の案内経路、第１部材）
５５２ 第２ユニット（第２の案内経路、第２部材）
５６１ 第１受入部（第１の入賞口）
５６２ 第２受入部（第２の入賞口）
５６３ 第３受入部（第３の入賞口）
５６４，１３５６４，３２５６４，３４５６４，３５５６４，４１５６４ 正面板（第２部材）
５６４ａ 案内部（突壁）
５６４ｃ，４１５６４ｃ 第２凸部（案内手段の一部、凸部）
５６４ｂ，４１５６４ｂ 第１凸部（第２案内手段の一部、第２凸部）
１３５６４ 正面板（第１部材）
１３５６４ｂ 第１凸部（突起、所定部）
１３５６４ｃ 第２凸部（突起、所定部）
５７１，１３５７１，３２５７１，３４５７１，３５５７１，４１５７１ ベース板（第１部材）
５７１ｉ，４１５７１ｉ 第２凹部（案内手段の一部、凹部）
５７１ｈ，４１５７１ｈ 第１凹部（第２案内手段の一部、第２凹部）
１３５７１ ｖベース板（第２部材）
１３５７１ｂ，３２５７１ｂ 第４凸部（突起、所定部）
１３５７１ｃ，３２５７１ｃ 第５凸部（突起、所定部）
３２５７３ｂ 調整孔（変更手段）
５７４ａ 第１受入凹部（第３の入賞口）
５７４ｂ 第２受入凹部（第３の入賞口）
３４５７９，３５５７９ 支持部（突出部）
４０５８１ａ１ 開口
４０５８１ａ２ 収容部
５８３ａ 第１ソレノイド（駆動手段）
５８３ｂ 第１可変板（可変板、板部材）
５８４ａ 第２ソレノイド（駆動手段）
５８４ｂ 第２可変板（可変板、板部材）
３２５９０ 螺合板（変更手段）
６１５ 第１連通路（分岐経路）
６１６ 第２連通路（分岐経路）
６２２ 中央開口部（開口、挿入部）
６３４ 第２中央開口部（開口、挿入部）
７７１０ 変位部材
７７１３ 球受け部材（受け止め部）
７７２０ 伝達部材（伝達手段）
７７２１ 回転部材（本体部）
７７２２ 駆動ピン（ピン部）
７７２３ アーム部材
７７２３ａ 被駆動溝（摺動溝）
７３０ 左側伝達部材（回転側伝達手段、第２部材）
７３１ 伝達機構（ワンウェイクラッチ機構）
７３１ａ 伝達ギヤ（歯車列の一部）
７３１ｂ 伝達ギヤ（歯車列の一部）
７３１ｃ 伝達ギヤ（歯車列の一部）
７３１ｄ 伝達ギヤ（歯車列の一部）
７３１ｅ，７７３０ 負荷ギヤ（負荷用歯車）
７４０ 右側伝達部材（変位側伝達手段、第１部材）
７４１ 回転部材（クランク部材）
７４１ａ 突起（ピン部）
７４２ アーム部材
７４２ｂ 第１摺動溝（摺動溝）
７６０ 箱部材（蓋部材）
７７０ 蓋部材（変位部材、第１部材）
７８０ 回転規制部材（変位規制手段）
８００ 回転体（回動部材、第２部材）
８１０ ベース板（固定部材）
８１１ｂ 連通孔（開口）
８１２ｂ 連通孔（第２連通口）
８２０ ＬＥＤ基盤（発光手段）
８３１ 開口（第１連通口）
８７０ 開閉部材（変位部材）
８７１ 突起（変位設定手段の一部、連結手段の一部）
８９２ 摺動溝（変位設定手段の一部、連結手段の一部）
ＫＲ１ 第１送球経路（流下経路）
ＫＲ２ 第２送球経路（第２分岐通路）
ＫＲ３ 第３送球経路（第１分岐通路）
ＳＰ４ 付勢ばね（付勢手段）
ＫＭ４ 駆動モータ（駆動手段）
ＯＷ１ ワンウェイクラッチ（係合手段）
ＳＫ１ 主経路（第１経路、案内経路の一部）
ＳＫ２ 主経路（第１経路、第２経路、案内経路の一部、上流側経路）
ＳＫ３ 主経路（第２経路、案内経路の一部、下流側経路）
ＳＫ４ 主経路（案内経路の一部、迂回路）
ＳＫ５ 主経路（案内経路の一部）
ＳＫ６ 主経路（案内経路の一部）
ＳＫ７ 主経路（案内経路の一部）
ＨＫ１ 副経路（案内経路の一部）
ＨＫ２ 副経路（案内経路の一部）
ＨＫ３ 副経路（案内経路の一部）
ＷＫ１ 湾曲経路（第３経路、案内経路の一部、変更経路）
ＳＩ シム部材（変更手段）
【手続補正８】
【補正対象書類名】明細書
【補正対象項目名】２１０６
【補正方法】変更
【補正の内容】
【２１０６】
１０                            パチンコ機（遊技機）
１３                            遊技盤
１３５６４、３２５６４          正面板（第２部材）
１３５６４ｂ                    第１凸部（所定部）
１３５６４ｃ                    第２凸部（所定部）
１３５７１，３２５７１          ベース板（第１部材）
１３５７１ｂ                    第４凸部（所定部）
１３５７１ｃ                    第５凸部（所定部）
３２５７３ｂ                    調整孔（変更手段）
３２９５０                      螺合板（変更手段）
ＳＩ                            シム部材（変更手段）